【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
２次元に配置された複数のマイクロレンズそれぞれに対して複数の光電変換部を備え、入射光量に応じた画像信号を出力する撮像素子と、
前記画像信号に基づいて、被写体の動き方向を検出する検出手段と、
前記検出手段により検出された前記被写体の動き方向が主走査方向である場合に、前記各マイクロレンズに対応する前記複数の光電変換部から、所定行おきに、視差を有する一対の信号および該複数の光電変換部の信号を加算した加算信号を得ることが可能な第１の読み出しを行い、それ以外の行から、一対の信号を得ずに加算信号を得る第２の読み出しを行うと判断する判断手段と、
前記判断手段により判断された結果に基づいて、行単位で、前記第１の読み出しと前記第２の読み出しを切り替えて前記撮像素子を制御する制御手段と
を有することを特徴とする撮像装置。
【請求項２】
前記判断手段は、動き方向が主走査方向である前記被写体が検出された領域に対応する行において、それ以外の行よりもより多くの行を前記第１の読み出しにより読み出すようにすることを特徴とする請求項１に記載の撮像装置。
【請求項３】
前記判断手段は、前記被写体の動き方向が主走査方向でない場合に、全ての行から前記第１の読み出しを行うと判断することを特徴とする請求項１または２に記載の撮像装置。
【請求項４】
前記判断手段は、前記被写体の動き方向が副走査方向である場合に、所定列おきに、前記第１の読み出しを行い、それ以外の列から、前記第２の読み出しを行うと判断し、
前記制御手段は、前記被写体の動き方向が副走査方向である場合に前記判断手段により判断された結果に基づいて、列単位で、前記第１の読み出しと前記第２の読み出しを切り替えて前記撮像素子を制御することを特徴とする請求項１または２に記載の撮像装置。
【請求項５】
前記判断手段は、動き方向が副走査方向である前記被写体が検出された領域に対応する列において、それ以外の列よりもより多くの列を前記第１の読み出しにより読み出すようにすることを特徴とする請求項４に記載の撮像装置。
【請求項６】
前記判断手段は、前記被写体の動き方向が主走査方向および副走査方向のいずれでもない場合に、全ての行および列から前記第１の読み出しを行うと判断することを特徴とする請求項４または５に記載の撮像装置。
【請求項７】
２次元に配置された複数のマイクロレンズそれぞれに対して複数の光電変換部を備え、入射光量に応じた画像信号を出力する撮像素子と、
撮像装置の動き方向を検出する検出手段と、
前記検出手段により検出された前記撮像装置の動き方向が、主走査方向である場合に、前記各マイクロレンズに対応する前記複数の光電変換部から、所定行おきに、視差を有する一対の信号および該複数の光電変換部の信号を加算した加算信号を得ることが可能な第１の読み出しを行い、それ以外の行から、一対の信号を得ずに加算信号を得る第２の読み出しを行うと判断する判断手段と、
前記判断手段により判断された結果に基づいて、行単位で、前記第１の読み出しと前記第２の読み出しを切り替えて前記撮像素子を制御する制御手段と
を有することを特徴とする撮像装置。
【請求項８】
前記判断手段は、前記撮像装置の動き方向が主走査方向でない場合に、全ての行から前記第１の読み出しを行うと判断することを特徴とする請求項７に記載の撮像装置。
【請求項９】
前記判断手段は、前記撮像装置の動き方向が副走査方向である場合に、所定列おきに、前記第１の読み出しを行い、それ以外の列から、前記第２の読み出しを行うと判断し、
前記制御手段は、前記撮像装置の動き方向が副走査方向である場合に前記判断手段により判断された結果に基づいて、列単位で、前記第１の読み出しと前記第２の読み出しを切り替えて前記撮像素子を制御することを特徴とする請求項７に記載の撮像装置。
【請求項１０】
前記判断手段は、前記撮像装置の動き方向が主走査方向および副走査方向のいずれでもない場合に、全ての行および列から前記第１の読み出しを行うと判断することを特徴とする請求項９に記載の撮像装置。
【請求項１１】
２次元に配置された複数のマイクロレンズそれぞれに対して複数の光電変換部を備え、入射光量に応じた画像信号を出力する撮像素子の制御方法であって、
検出手段が、前記画像信号に基づいて、被写体の動き方向を検出する検出工程と、
判断手段が、前記検出工程で検出された前記被写体の動き方向が主走査方向である場合に、前記各マイクロレンズに対応する前記複数の光電変換部から、所定行おきに、視差を有する一対の信号および該複数の光電変換部の信号を加算した加算信号を得ることが可能な第１の読み出しを行い、それ以外の行から、一対の信号を得ずに加算信号を得る第２の読み出しを行うと判断する第１の判断工程と、
制御手段が、前記第１の判断工程で判断された結果に基づいて、行単位で、前記第１の読み出しと前記第２の読み出しを切り替えて前記撮像素子を制御する第１の制御工程と
を有することを特徴とする制御方法。
【請求項１２】
前記判断手段が、前記被写体の動き方向が副走査方向である場合に、所定列おきに、前記第１の読み出しを行い、それ以外の列から、前記第２の読み出しを行うと判断する第２の判断工程と、
前記制御手段が、前記第２の判断工程で判断された結果に基づいて、列単位で、前記第１の読み出しと前記第２の読み出しを切り替えて前記撮像素子を制御する第２の制御工程と
を更に有することを特徴とする請求項１１に記載の制御方法。
【請求項１３】
２次元に配置された複数のマイクロレンズそれぞれに対して複数の光電変換部を備え、入射光量に応じた画像信号を出力する撮像素子の制御方法であって、
検出手段が、撮像装置の動き方向を検出する検出工程と、
判断手段が、前記検出工程で検出された前記撮像装置の動き方向が、主走査方向である場合に、前記各マイクロレンズに対応する前記複数の光電変換部から、所定行おきに、視差を有する一対の信号および該複数の光電変換部の信号を加算した加算信号を得ることが可能な第１の読み出しを行い、それ以外の行から、一対の信号を得ずに加算信号を得る第２の読み出しを行うと判断する第１の判断工程と、
制御手段が、前記第１の判断工程で判断された結果に基づいて、行単位で、前記第１の読み出しと前記第２の読み出しを切り替えて前記撮像素子を制御する第１の制御工程と
を有することを特徴とする制御方法。
【請求項１４】
前記判断手段が、前記撮像装置の動き方向が副走査方向である場合に、所定列おきに、前記第１の読み出しを行い、それ以外の列から、前記第２の読み出しを行うと判断する第２の判断工程と、
前記制御手段が、前記第２の判断工程で判断された結果に基づいて、列単位で、前記第１の読み出しと前記第２の読み出しを切り替えて前記撮像素子を制御する第２の制御工程と
を更に有することを特徴とする請求項１３に記載の制御方法。
【手続補正２】
【補正対象書類名】明細書
【補正対象項目名】０００９
【補正方法】変更
【補正の内容】
【０００９】
上記目的を達成するために、本発明の撮像装置は、２次元に配置された複数のマイクロレンズそれぞれに対して複数の光電変換部を備え、入射光量に応じた画像信号を出力する撮像素子と、前記画像信号に基づいて、被写体の動き方向を検出する検出手段と、前記検出手段により検出された前記被写体の動き方向が主走査方向である場合に、前記各マイクロレンズに対応する前記複数の光電変換部から、所定行おきに、視差を有する一対の信号および該複数の光電変換部の信号を加算した加算信号を得ることが可能な第１の読み出しを行い、それ以外の行から、一対の信号を得ずに加算信号を得る第２の読み出しを行うと判断する判断手段と、前記判断手段により判断された結果に基づいて、行単位で、前記第１の読み出しと前記第２の読み出しを切り替えて前記撮像素子を制御する制御手段とを有する。
【手続補正３】
【補正対象書類名】明細書
【補正対象項目名】００４９
【補正方法】変更
【補正の内容】
【００４９】
動画処理を開始すると、まず、Ｓ２１において、カメラ制御部２３２は、カメラ動き検出部７０１から動き情報を取得する。そして、Ｓ２２において、カメラ本体２０’の動き方向が横方向かどうかを判断する。カメラ本体２０’の動きが横方向であった場合には、Ｓ２３において、カメラ制御部２３２はカメラ本体２０’の動きが横方向であることをＡＦ用信号読み出し制御部２３３に通知する。ＡＦ用信号読み出し制御部２３３は、所定行おきに分割読み出しを行い、その他の行では加算読み出しを行うように撮像素子２２１を制御する。これにより、全画素から記録／表示用の信号を読み出すとともに、所定行おきに一対のＡＦ用信号を読み出す。その際に、被写体検出部２３６により被写体が検出されている場合、被写体が存在する領域では、被写体が存在しない領域よりも密に分割読み出しを行うようにしてもよい。
【手続補正４】
【補正対象書類名】明細書
【補正対象項目名】００５４
【補正方法】変更
【補正の内容】
【００５４】
＜第３の実施形態＞
次に、本発明の第３の実施形態について説明する。第１の実施形態における撮像素子は、行単位で、分割読み出しまたは加算読み出しで選択的に読み出し可能であったが、第３の実施形態では、列単位でも分割読み出しまたは加算読み出しで読み出し制御可能とした場合について説明する。
【手続補正５】
【補正対象書類名】明細書
【補正対象項目名】００５８
【補正方法】変更
【補正の内容】
【００５８】
被写体が検出できた場合にはＳ１２に進み、カメラ制御部２３２において、これまでに検出された被写体の位置と比較することで、被写体の動きが横方向かどうかを判断する。Ｓ１２において被写体の動きが横方向であった場合には、Ｓ１３に進み、所定行おきに分割読み出しを行い、その他の行では加算読み出しを行うように撮像素子２２１’を制御する。この場合も、第１の水平走査回路２０８ａを用いて、読み出し回路２０７に読み出された信号を全て出力回路２０９を介して出力する。
【手続補正６】
【補正対象書類名】明細書
【補正対象項目名】００５９
【補正方法】変更
【補正の内容】
【００５９】
Ｓ１２で、被写体の動きが横方向ではなかった場合はＳ３１に進み、被写体の動きが縦方向かどうかを判断し、縦方向でなかった場合には、Ｓ１４に進み、上述した処理を行う。被写体の動きが縦方向であった場合はＳ３２に進み、カメラ制御部２３２は被写体の動きが縦方向であることをＡＦ用信号読み出し制御部２３３に通知する。ＡＦ用信号読み出し制御部２３３は、所定列おきに分割読み出しを行い、その他の列では加算読み出しを行うように撮像素子２２１’を制御する。その際に、被写体が存在する列では、被写体が存在しない列よりも密に分割読み出しを行うようにする。これにより、全画素から記録／表示用の信号を読み出すとともに、所定列おきに一対のＡＦ用信号を読み出す。図５（ｅ）は、被写体の動きが縦方向であった場合の読み出し制御の一例を示している。
【手続補正７】
【補正対象書類名】明細書
【補正対象項目名】００６８
【補正方法】変更
【補正の内容】
【００６８】
一方、Ｓ２２においてカメラ本体２０’の動きが横方向ではなかった場合はＳ４１に進み、カメラ本体２０’の動き方向が縦方向かどうかを判断する。カメラ本体２０’の動きが縦方向であった場合には、Ｓ４２において、カメラ制御部２３２はカメラの動きが縦方向であることをＡＦ用信号読み出し制御部２３３に通知する。ＡＦ用信号読み出し制御部２３３は、所定列おきに分割読み出しを行い、その他の列では加算読み出しを行うように撮像素子２２１’を制御する。なお、Ｓ４２で行われる制御は、図１０のＳ３２で行われる制御と同様であるため、説明を省略する。
【手続補正８】
【補正対象書類名】明細書
【補正対象項目名】００６９
【補正方法】変更
【補正の内容】
【００６９】
Ｓ４１においてカメラ本体２０’の動きが縦方向でもなかった場合はＳ２４に進み、ＡＦ用信号読み出し制御部２３３は、全画素において分割読み出しを行うように撮像素子２２１’を制御する。
【手続補正９】
【補正対象書類名】図面
【補正対象項目名】図９
【補正方法】変更
【補正の内容】
【図９】
2016224278.tif 000001